(57)【要約】【課題】本発明は、さらに打感を軟らかくし、打ち方によって、バックスピンの減少やトップスピンの増加を得ることが出来るパターヘッドを提供することを目的とする。【解決手段】フェース面（３）に複数本の平行に並んだ溝群が形成されたパターヘッド（１）において、前記溝群が種類の異なる２種類の第１の溝群と第２の溝群とから構成され、第１の溝群の溝（４）が、幅０．５〜１．５２ｍｍ、深さ０．２５〜０．５ｍｍに形成され、第２の溝群の溝（５）が、幅０．１〜０．５ｍｍ、深さ０．０５〜０．１ｍｍに形成され、前記第１の溝群の溝間の溝間隔が０．８〜１．５ｍｍに形成され、第１の溝群の溝と溝との間に第２の溝群の溝が配列されている。【選択図】図１
2010035846.tif 000002
【特許請求の範囲】
【請求項１】
フェース面に複数本の平行に並んだ溝群が形成されたパターヘッドにおいて、
前記溝群が種類の異なる２種類の第１の溝群と第２の溝群とから構成され、
第１の溝群の溝が、幅０．５〜１．５２ｍｍ、深さ０．２５〜０．５ｍｍに形成され、
第２の溝群の溝が、幅０．１〜０．５ｍｍ、深さ０．０５〜０．１ｍｍに形成され、
前記第１の溝群の溝間の溝間隔が０．８〜１．５ｍｍに形成され、
第１の溝群の溝と溝との間に第２の溝群の溝が配列されていることを特徴とするパターヘッド。
【請求項２】
前記第１の溝群の溝は角溝に形成され、第２の溝群の溝は三角溝、又は半円溝、台形溝のようにフェース面と溝面とが形成する角度を大きく形成されていることを特徴とする請求項１に記載のパターヘッド。
【請求項３】
フェース面と第１の溝群の溝の溝側面との交差角度とフェース面と第２の溝群の溝の溝側面との交差角度が異なることを特徴とする請求項１又は２に記載のパターヘッド。
【発明の詳細な説明】
【技術分野】
【０００１】
本発明は、ゴルフで用いるパターヘッドに関し、特にフェース面に溝を形成したパターヘッドに関する。
【背景技術】
【０００２】
パターヘッドは、グリーン上でボールを転がす為のゴルフクラブたるパターのヘッドである。特開２００３−７７７号の［０００２］欄に記載の通り、フェース面全体に、通称ミーリング目と呼ばれる、フェース面正面からみて、等間隔の円弧状に、フライス盤での切削加工によって溝を形成したものが、よくみられる。この溝を形成する理由は、ゴルフボールとの接触面積の減少によりソフトフィーリングが得られることや、雨や霧によってフェース面が濡れている状態でボールがスリップしにくい、または、デザイン的な模様による見栄えという意味など、様々な利点があり、打感やフィーリングを重視した上級者用パタークラブヘッドに多くみられるものである。同号公報の請求項３〜５には、溝間隔を０．３〜３ｍｍとすること、溝深さを０．０３〜０．３ｍｍとすること、円弧状溝の円弧の半径を８〜８０ｍｍとすることが記載されている。
【０００３】
パターヘッドは、一般的に２〜５°の程度のロフト角を有しており、インパクト直前には、ゴルフボールにバックスピンが掛かっていることが、高速度カメラの撮影で分かった。このバックスピンにより、ボールの転がりが悪くなる。そこで、このバックスピンを減らすように改良されたパターヘッドが開発された。
【０００４】
バックスピンの量を減らしたパターヘッドとして、特許文献１に記載のものが開発された。これは、フェース面に複数の溝が略平行に形成された溝幅Ｗ（ｍｍ）と溝間の幅Ｓ（ｍｍ）との比Ｗ／Ｓが０．５〜２．０であるように構成されたものであり、溝幅を０．５〜１．６ｍｍとし、溝間隔Ｓを０．２５〜３．２ｍｍとし、溝の深さを０．０３〜１．２ｍｍとしたものである。
【０００５】
特許文献１に記載のものは、フェース面とボールの接触面積を減らすとバックスピンが減ること、パターでゴルフボールを打った時のフェース面の打痕を、パターヘッドのフェース面に感圧紙を貼って調べたところ、直径３〜５ｍｍ程度の跡が残ることが認められ、ボールに多少の変形が有ることが判明したことにより開発されたものである。フェース面にアイアンヘッドに設けられるコルゲーションと同様の溝を入れて、ボールの初期のバックスピン量を調べて、その転がり量を調べた。その結果、アイアンヘッドの場合は、パターヘッドに比べ、遥かにヘッドスピードが速い為、コルゲーション（溝）にボールが食い込むため、バックスピン量は増えると考えられるが、パターヘッドの場合は、逆にバックスピン量が減ることが分かったので、特許文献１に記載の発明に想到したものである。
【特許文献１】特開２００８−１５４９７４号公報
【発明の開示】
【発明が解決しようとする課題】
【０００６】
特許文献１のものは、単にバックスピン量を減らすことを目的とするものであるが、本発明は、さらに打感を軟らかくし、打ち方によって、バックスピンの減少やトップスピンの増加を得ることが出来るパターヘッドを提供することを目的とする。
【課題を解決するための手段】
【０００７】
上述の目的を達成するため、本発明は、フェース面に複数本の平行に並んだ溝群が形成されたパターヘッドにおいて、前記溝群が種類の異なる２種類の第１の溝群と第２の溝群とから構成され、第１の溝群の溝が、幅０．５〜１．５２ｍｍ、深さ０．２５〜０．５ｍｍに形成され、第２の溝群の溝が、幅０．１〜０．５ｍｍ、深さ０．０５〜０．１ｍｍに形成され、前記第１の溝群の溝間の溝間隔が０．８〜１．５ｍｍに形成され、第１の溝群の溝と溝との間に第２の溝群の溝が配列されているものである。
【発明の効果】
【０００８】
本発明は、フェース面に複数本の平行に並んだ溝群が形成されたパターヘッドにおいて、前記溝群が種類の異なる２種類の第１の溝群と第２の溝群とから構成され、第１の溝群の溝が、幅０．５〜１．５２ｍｍ、深さ０．２５〜０．５ｍｍに形成され、第２の溝群の溝が、幅０．１〜０．５ｍｍ、深さ０．０５〜０．１ｍｍに形成され、前記第１の溝群の溝間の溝間隔が０．８〜１．５ｍｍに形成され、第１の溝群の溝と溝との間に第２の溝群の溝が配列されているので、打つ位置が異なっても、ボールへのスピンの溝による影響は、一定である。また、フェース面の一定間隔内に多くの溝を設けてあるため、ボールとフェース面との接触面積が小さくなり、打感が軟らかく感じられる。さらに、初期スピンが、バックスピン（ロフトで押出す）で打出す人は、溝によって接触面積が減少することでスピン量が低下する。また、フォワードスピン（擦り上げる）の人は、大きい方の溝で引っ掛てボールにフォワードスピンをかけるので、スピン量が増加する。以上のように２種類の溝を用いることで、打ち方によらず初期スピンを順回転傾向にする効果を持つ。
【発明を実施するための最良の形態】
【０００９】
以下に本発明の実施形態を図面を参照にして説明する。
【００１０】
図１において、パターヘッド１に固着されたホゼル部２に図示しないシャフトが装着されパタークラブを構成し、フェース面３に２種類の溝４、５が形成されている。第１の溝群の溝４は、幅Ｗ１０．５〜１．５２ｍｍ、より好ましくは０．６〜１．２５ｍｍ、深さｄ１が０．２５〜０．５ｍｍの範囲で形成され、第２の溝群の溝５は、幅Ｗ２が０．１〜０．５ｍｍ、より好ましくは０．３５〜０．４５ｍｍ、深さｄ２が０．０５〜０．１ｍｍの範囲で形成されている。第１の溝群の隣り合う２本の溝４の溝間隔Ｌを０．８〜１．５ｍｍとし、その間に第２の溝群の溝５を1本又は２本以上配列する。
【００１１】
フェース面３に複数本の平行に並んだ溝４、５が形成されていると、特許文献１の発明と同じように、パッティングされたボールのバックスピン量が少なくなるため、グリーン上を転がるボールがフェース面から離れた早い段階でオーバースピンするようになり、ボールが狙ったライン上をスムーズに転がるようになる。また、特にグリーン上の芝目が逆目である場合に、予期せずに球足が伸びずに大幅にショートする（停止したボールからカップまで長い距離が残ってしまう）ことが防止される。そして、本発明の場合、第１の溝群の溝４の隣り合う２本の溝間隔Ｌを１．１ｍｍとしたとき、この溝間隔Ｌの中間に第２の溝群の溝５を１本配する（図２参照）。このときの溝４の幅Ｗ１を０．７ｍｍ、溝５の幅Ｗ２を０．３９ｍｍとし、溝４の断面形状は角溝、溝５の断面形状は三角溝（Ｖ溝）とした（図３参照）。特許文献１の溝間隔は、０．２５〜３．２ｍｍであるのに対し、本発明では、仮に、２本の溝４の間に1本の溝５を配列した場合、溝４、５の間隔は、溝間隔Ｌの半分以下となり、打感の軟らかさを感じ易くなる。
【００１２】
本発明における細い溝５が存在せず、溝４に相当する溝を、溝間隔を狭くして配すると（特許文献１）、ボールとの接触面積が極端に低下し、スピン効果以上に初速低下の影響が大きくなり、転がりが悪くなる。そこで、極度な接触面積低減を抑えつつスピン効果をもたらすために、２種類の溝４、５の形成が有効であることが判明した。また、本願発明のものと、溝４に相当する太い溝のみ配したものとを比較して、アマチュアゴルファー１０人によって打ち比べてみた結果、１０人中8人の試打者が本発明のものの方が転がりが良いと感じた。また、打感の軟らかさを試打者全員が実感した。
【００１３】
図４及び図５は、バックスピンでボールＢを打ち出す場合と、フォワードスピンでボールＢを打ち出す場合をそれぞれ示す。図４のように初期スピンがバックスピンで打ち出しても、ボールＢとフェース面３との接触面積が、溝４、５の存在により減少するため、バックスピン量は低下する。図５のように、擦り上げてボールＢを打つ場合、初期スピンがフォワードスピンとなるが、太い溝４でボールＢを引っ掛けるように作用してフォワードスピン量が増加する。
【００１４】
第１の溝群の溝４の溝幅を０．５ｍｍ以上とするのは、これ以上狭い幅だと、フォワードスピンを掛けようとして、インパクト時にボールに対してフェース面を擦り上げ打っても、スピンを与えにくくなるためである。また、１．５２ｍｍ以下とするのは、ルールに抵触しないためである。さらに、２本の溝４の間に配列する溝５は、規則正しく形成させるとよい。ことに、２本の太い溝４との間には、細い溝５が形成されていることが好ましい。このように構成することで、フェース面３の打点が上下にずれても溝４、５によるボールのスピンへの影響が少ないものとなる。また、パターの場合、打点のバラつきが左右に生じ易いが、溝４、５は水平に配列されているためにボールに与えるスピンのバラつきも防止できる。
【００１５】
前記第１の溝群の溝４の角溝は、一般的にフェース面３と溝４との交差角が、直角もしくはそれに近い角度であり、ボールＢにスピンの影響を与えやすい。三角溝（とした場合）は、角溝に比べフェース面と溝との交差角が小さくなり（フェース面３と溝面とが形成する角度（挾角）は大きくなり）、スピンの影響を与えにくい。第２の溝群の溝５は、このような三角溝にするか、半円溝、あるいは台形溝にする（図６、図７参照）。溝５の溝面とフェース面３とが形成する角度（挾角）は溝４に比べて大きく、交差角は小さい。そのため、溝４と溝５の形状を変えると、接触面積の減少に加え、より直角に近い溝、すなわち溝４によって引っ掛けてフォワードスピンを増加できる。そのため、第１の溝群の溝４を角溝にすると良い。好ましい実施形態としては、フェース面３と溝４の溝側面との交差角度とフェース面３と溝５の溝側面との交差角度が異なるようにする。溝４と溝５のフェース面３と溝側面との交差角度を変えると、接触面績の減少に加え、より直角に近い溝（角溝とした溝４）によって引っ掛けてフォワードスピンを増加できる。さらに、フェース面と各溝４、５との交点における角度も、溝４の場合は角があり、溝５の場合は角をとって曲面に形成することもできる。なお、交差角と挾角については、図８で図示する。
【００１６】
本発明においても、溝４、５が形成される部分をヘッド本体とは別材料、例えば樹脂で形成し、フェース面３をインサート材で形成することもできる。
【図面の簡単な説明】
【００１７】
【図１】パターヘッドの正面図。
【図２】溝の拡大図。
【図３】図１のＡ−Ａ線拡大断面図。
【図４】バックスピンを生じさせる打ち方の説明図。
【図５】フォワードスピンを生じさせる打ち方の説明図。
【図６】細い溝を半円溝とした断面図。
【図７】細い溝を台形溝とした断面図。
【図８】交差角と挾角を説明する図。
【符号の説明】
【００１８】
１    パターヘッド
３    フェース面
４    第１の溝群の溝
５    第２の溝群の溝
【図１】
2010035846.tif 000003
【図２】
2010035846.tif 000004
【図３】
2010035846.tif 000005
【図４】
2010035846.tif 000006
【図５】
2010035846.tif 000007
【図６】
2010035846.tif 000008
【図７】
2010035846.tif 000009
【図８】
2010035846.tif 000010